(57)【要約】  飲料缶（８）のためのより良好な温度制御および維持を可能にする、冷蔵庫のための冷却設備（１）であって、冷蔵庫（２）の他の冷蔵室（３）を開放することなく缶（８）へのアクセスを容易にし、かつまた開放時に液体内容物を溢れ出させる可能性のある缶（８）の急激な動きを防止する、冷蔵庫のための冷却設備（１）。
2019507309.tif 000002
【特許請求の範囲】
【請求項１】
冷蔵庫のための冷却設備であって、前記冷蔵庫の少なくとも１つの冷蔵室への少なくとも１つのアクセスドアを有するタイプの冷蔵庫のための冷却設備において、
前記少なくとも１つのアクセスドアは、正面パネル、内部パネルおよび傾斜した消費者製品保管構造によって画定された区画からなり、
前記正面パネルは、枢動封止カバーとともに覗き／取り出し窓が提供される一方、前記内部パネルは、複数のスロットおよび装填窓が提供されることを特徴とする、冷蔵庫のための冷却設備。
【請求項２】
前記冷蔵庫は、主冷却部分であって、前記主部分への主アクセスドアを備えた主冷却部分と、アクセスドアを備えた冷凍庫部分とを有し、前記アクセスドアは、前記冷蔵庫の冷蔵室への前記アクセスドアであることを特徴とする、請求項１に記載の冷蔵庫のための冷却設備。
【請求項３】
前記傾斜した保管構造は、最初の上部および最後の下部を有する分割された水平の「Ｖ」字形斜面からなり、かつ強化プラスチック材料、アルミニウム、鋼鉄またはそれらの組合せで作成される、請求項１に記載の冷蔵庫のための冷却設備。
【請求項４】
前記正面パネル上の前記覗き／取り出し窓は、前記分割された斜面の前記最初の上部および最後の下部と一致する一方、前記枢動封止カバーは、前記取り出し窓の上部で枢動可能に固定されることを特徴とする、請求項１または３に記載の冷蔵庫のための冷却設備。
【請求項５】
前記枢動封止カバーは、トリガを用いて前記正面パネル上の作動ボタンに動作可能に連結され、前記カバーは、断熱能力を有するプラスチック材料の群から選択される材料で作成されることを特徴とする、請求項４に記載の冷蔵庫のための冷却設備。
【請求項６】
前記内部パネル上の前記装填窓は、前記分割された斜面の前記最初の上部と一致することを特徴とする、請求項１または４に記載の冷蔵庫のための冷却設備。
【請求項７】
前記冷蔵庫ドアの前記正面パネル、前記傾斜した保管構造および前記内部パネルは、前記冷蔵室にアクセスするための少なくとも１つの第１の開口ヒンジアセンブリを用いて、前記冷蔵庫内に枢動アセンブリを形成することを特徴とする、請求項１、３または６のいずれか一項に記載の冷蔵庫のための冷却設備。
【請求項８】
前記傾斜した保管構造は、少なくとも１つの温度センサを有することを特徴とする、請求項７に記載の冷蔵庫のための冷却設備。
【請求項９】
前記正面パネルは、前記区画内部に温度表示画面を有することを特徴とする、請求項７に記載の冷蔵庫のための冷却設備。
【発明の詳細な説明】
【技術分野】
【０００１】
本発明は、好ましくは飲料などの大量消費の製品または製品を含有するパッケージ、より具体的には容器または缶を冷却するための、家庭、公共または産業利用などのための機器、デバイス、装置および設備の分野に関する。より詳細には、本発明は、主に家庭用冷蔵庫におけるこれらの製品およびそれへの向上したアクセスのための選択的冷却設備である。
【背景技術】
【０００２】
産業、家庭または公共利用を問わず、一般製品のための冷蔵庫、自動販売機などは、内部の冷蔵室または冷却室として公知のものを含有する断熱箱からなる。家庭用冷蔵庫では、この箱の内部は、通常、２つの部分、すなわち主アクセスドアを備える主室内で概して製品（主に食品）を冷却するための１つの部分、および特定の特別な製品のより強い冷却（冷凍）に専用である、第１のものの上または下の別の部分に分割される。冷凍庫は、通常、一般部分より小さく、−２０℃まで低温に達すことがある一方、主または一般室内の温度は、一般に、主または一般室内に保管される製品のタイプに十分な約６℃である。
【０００３】
しかし、特定の製品に対して、これらの温度状況のいずれも、製品を消費のために適切に調整するのに最適ではない。例えば、缶ビールは、一部の国、具体的には南米の慣習によれば、主冷蔵室の６℃より低いが、冷凍庫の−２０℃より高い温度で消費されることがある典型的な製品である。さらに、従来の冷蔵庫は、飲料缶のために特別に設計された保管空間を含まず、飲料缶は、通例として、主ドアの一部の不便な部分に保管される。その結果、これは、ドアの開閉時に缶が左右に急激に動き、それにより、飲料が揺らされ、開放時に飲料が溢れ出ることを意味する。
【０００４】
ビールなどの製品のための所望の温度を発生させかつ維持するように設計された冷蔵庫があるが、それらの冷蔵庫は、飲食店、酒店、自動販売機などの専門施設のための特別な冷蔵設備である。しかし、区分化された温度でビールおよび他の製品を適切に調整することに適合されているか、またはそのための特別な区画を有し、および前記製品への容易、迅速、かつ選択的なアクセスを提供する家庭用冷蔵庫は従来技術で未知である。
【０００５】
そのため、工場で装備されるか、または既存の家庭用冷蔵庫に適合されるかのいずれかである新しい設備が非常に便利であろう。それは、冷蔵室の最冷部の冷熱発生能力を使用して、缶の形態の多様な製品のための容器などの製品を適切な温度で保管することを可能にし、および機器の他の部分を開放する必要なくかつ缶が急激に動くことを避けながら、これらの製品への直接的なアクセスを提供するであろう。
【発明の概要】
【発明が解決しようとする課題】
【０００６】
したがって、本発明の１つの目的は、選択および制御された温度の空間を、それを必要とする製品のために創出することを可能にする、冷蔵庫のための冷却設備を提供すること、および冷蔵庫の他室を開放する必要なく、これらの製品への直接的なアクセスを提供することである。
【０００７】
本発明の別の目的は、冷蔵庫のための冷却設備であって、機器は、１つまたは複数のドアを有し得、前記ドアの少なくとも１つ  −  好ましくは、最冷室へのアクセスを提供するドア  −  は、区別された製品を保管および保護するための区画を含む、冷蔵庫のための冷却設備を提供することである。
【０００８】
本発明のさらなる目的は、冷蔵庫内に保管された缶が急激に動くことを防止する、冷蔵庫のための冷却設備を提供することである。
【０００９】
本発明の最後の目的は、冷蔵庫のための冷却設備であって、機器は、冷蔵庫の少なくとも１つの冷蔵室への少なくとも１つのアクセスドアを有し、前記少なくとも１つのアクセスドアは、正面パネル、内部パネルおよび傾斜した消費者製品保管構造によって画定された区画からなる、冷蔵庫のための冷却設備を提供することである。前記正面パネルは、缶にアクセスするための枢動封止カバーを備えた覗き／取り出し窓アセンブリが提供される一方、内部パネルは、冷気が入るための複数のスロットおよび前記缶を装填するための窓が提供される。
【課題を解決するための手段】
【００１０】
本発明の目的のさらなる明確さおよび理解のために様々な図が含まれている。これらの図は、単に例示目的で提示されており、本発明をその好ましい形態の１つで表している。
【図面の簡単な説明】
【００１１】
【図１】冷蔵庫の主冷蔵室にアクセスするための下部または主ドア、および冷凍庫への上部アクセスドアの２つのドアを有するタイプの家庭用冷蔵庫の部分斜視図を示す。図面では、この冷蔵庫は、本発明の冷却設備を備えている。
【図２】本発明の機器の１つの適用形態、この場合には缶の取り出しを見ることができる、上部または冷凍庫ドアの斜視図を示す。
【図３】数個の缶が見える、本発明の冷却設備が提供された冷凍庫ドアの内部の一部切欠斜視図を示す。
【図４】冷凍庫としての冷蔵室にアクセスするために開放された、本発明の区分化された冷却設備を備えた冷凍庫ドアの斜視図を示す。
【図５】本発明の冷却設備の分解図を示す。
【図６】例示目的のために、その適用の１つにおける本発明の冷却設備の斜視図を示す。
【発明を実施するための形態】
【００１２】
ここで、図を参照すると、本発明は、選択および制御された温度の、それを必要とする製品、具体的には缶入り飲料のための新しい冷却設備からなり、これは、他の冷蔵室を開放することなく、かつ開放時に前記缶の中身を溢れ出させる可能性のある前記缶の突然の動きを避けながら、缶入り飲料を置きかつ取り出すことを可能にすることが分かり得る。
【００１３】
したがって、図１〜図６によれば、本発明の冷蔵庫のための冷却設備は、参照番号１の総枠によって示され、主冷却部分であって、前記主部分への主アクセスドアを備えた主冷却部分と、アクセスドア４を備えた冷凍庫３とを有する、主アクセスドアを備えた冷蔵庫２内で使用することができる。前記アクセスドア４は、正面パネル５、内部パネル６、および缶８などの消費者製品のための傾斜した保管構造７によって画定された区画からなる。
【００１４】
前記正面パネル５は、窓９の上部に枢動可能に取り付けられた枢動封止カバー１０とともに覗き／取り出し窓９が提供され、封止カバー１０は、正面パネル５上に提供された作動ボタン１１に動作可能に連結される。したがって、ボタンが押されると１１、それはトリガ１８を作動させ、トリガ１８が封止カバー１０を開放することにより、封止カバー１０は、上方に枢動し、図６に示されたように缶８が窓９を通して取り出されることを可能にする。前記封止カバー１０は、ヒンジシステム（図示せず）を用いて窓９上に装着され、それにより、前記カバー１０は、断熱能力を有するプラスチックからなる群から選択される材料で作成され得ることを強調しておく。さらに、前記正面パネル５は、区画内部の温度を示すための表示画面１２を備え得る。
【００１５】
前記内部パネル６は、容器または缶の温度を一定に保つために、冷蔵室３から区画へのまたその逆の冷気の通過および循環を可能にする複数のスロット１３が提供される。同様に、前記内部パネル６は、その上部に配置された装填窓１４を有する。傾斜した保管空間７の構造は、水平の「Ｖ」字形に分割された斜面１５からなり、斜面１５は、最初の上部１６および最後の下部１７を有する。正面パネル５上の前記覗き／取り出し窓９は、最初の上部１６および最後の下部１７と一致する一方、内部パネル６の装填窓１４は、最初の上部１６と一致する。
【００１６】
したがって、缶８は、装填窓１４を通して装填されるかまたは置かれ、上部１６から下部１７に重力によって動き、前記カバーシャッター１０を作動させる作動ボタン１１を押すことにより、覗き／取り出し窓９を通して引き抜かれ得る。缶は重力を受けるため、分割された斜面１５の下部１７における缶の置換は、缶が次々に取り出されると自動的に連続して行われる。
【００１７】
同様に、この傾斜した保管構造７は、強化プラスチック材料、アルミニウムおよび鋼鉄から構成される。前記正面パネル５、前記傾斜した保管構造７および前記内部パネル６は、冷蔵室３にアクセスするための少なくとも１つの開口ヒンジアセンブリを用いて、冷蔵庫２内に枢動アセンブリを形成する。前記傾斜した保管構造７は、前記表示画面１２に連結される少なくとも１つの温度センサ（図示せず）を備え得ることを強調しておく。
【００１８】
このように、冷蔵庫のための本発明の冷却設備が記載され示されている。要約すると、それは、缶に含有された飲料が最良の状態で消費され得るように、より良好な温度制御および維持を可能にする。さらに、缶に専用の空間を提供することにより、本発明は、従来の冷蔵庫で起きるように缶が左右に急激に動くことを防止する。
【００１９】
上記を鑑みて、以下の独立請求項に基づいて保護が求められる。
【図１】
2019507309.tif 000003
【図２】
2019507309.tif 000004
【図３】
2019507309.tif 000005
【図４】
2019507309.tif 000006
【図５】
2019507309.tif 000007
【図６】
2019507309.tif 000008
【国際調査報告】
2019507309.tif 000009
2019507309.tif 000010
2019507309.tif 000011
2019507309.tif 000012
2019507309.tif 000013
2019507309.tif 000014